(57)【要約】      （修正有）【課題】多数の機器の時系列データを一望することができるとともに、時系列データを解析可能な表示を行うことができる機器データ表示装置等を提供する。【解決手段】複数の機器から時系列データを収集する収集手段１１と、収集された時系列データの値を表示する表示手段１２と、を備える。表示手段１２は、時系列データの時刻を第１の座標軸に、時系列データを得た機器を第２の座標軸に、それぞれ割り当てることで規定される各表示領域に、対応する時系列データの値に対応付けられた表示形態での表示を行う。表示形態は、表示色、輝度、アイコンまたは模様である。【選択図】図１
2012018589.tif 000002
【特許請求の範囲】
【請求項１】
複数の機器から収集された時系列データの値を表示する機器データ表示装置において、
前記複数の機器から時系列データを収集する収集手段と、
前記収集手段により収集された時系列データの値を表示する表示手段と、
を備え、
前記表示手段は、前記時系列データの時刻を第１の座標軸に、前記時系列データを得た機器を第２の座標軸に、それぞれ割り当てることで規定される各表示領域に、対応する前記時系列データの値に対応付けられた表示形態での表示を行い、
前記表示形態は、表示色、輝度、アイコンまたは模様のうち少なくともいずれかであることを特徴とする機器データ表示装置。
【請求項２】
前記第１の座標軸を拡大および縮小する操作を受け付ける拡大縮小操作受付手段を備えることを特徴とする請求項１に記載の機器データ表示装置。
【請求項３】
前記第１の座標軸と、前記時系列データの時刻との関係の指定を受け付ける表示時刻指定受付手段を備えることを特徴とする請求項１または２に記載の機器データ表示装置。
【請求項４】
前記表示手段は、前記表示時刻指定受付手段を介して受け付けた指定された時間帯における前記時系列データを、前記時間帯ごとに互いに区切って、前記表示形態により表示を行うことを特徴とする請求項３に記載の機器データ表示装置。
【請求項５】
前記表示手段は、前記表示時刻指定受付手段を介して受け付けた指定された時間帯における前記時系列データを、前記時間帯ごとに互いに区切って隣接配置させて、前記表示形態により表示を行うことを特徴とする請求項３または４に記載の機器データ表示装置。
【請求項６】
前記表示形態と前記時系列データの値との対応関係の指定を受け付ける表示形態指定受付手段を備えることを特徴とする請求項１〜５のいずれか１項に記載の機器データ表示装置。
【請求項７】
前記第２の座標軸と、個々の前記機器との対応付けの指定を受け付ける機器指定受付手段を備えることを特徴とする請求項１〜６のいずれか１項に記載の機器データ表示装置。
【請求項８】
前記表示手段は、複数種類の前記表示形態を用いることにより複数種類の前記時系列データを前記各表示領域に同時に表示することを特徴とする請求項１〜７のいずれか１項に記載の機器データ表示装置。
【請求項９】
前記時系列データをソートまたは互いの類似性に従って並び替える並び替え手段を備え、
前記表示手段は、前記並び替え手段により得られた並び順に従って、前記時系列データを得た機器を、前記第２の座標軸に割り当て、各表示領域に対応する前記時系列データの値に対応付けられた表示形態での表示を行うことを特徴とする請求項１〜８のいずれか１項に記載の機器データ表示装置。
【請求項１０】
前記複数の機器から収集された前記時系列データに基づいてグラフまたは分布図の少なくともいずれかを表示するとともに、前記グラフまたは前記分布図に対する操作を受け付けるグラフ等操作受付手段を備え、
前記グラフ等操作受付手段を介して受け付けた前記グラフまたは前記分布図に対する操作に応じて、前記表示手段により表示される対象となる前記機器または前記時間帯のいずれかが絞り込まれることを特徴とする請求項１〜９のいずれか１項に記載の機器データ表示装置。
【請求項１１】
前記時系列データは、予め定められたレベル値に対応した前記表示色、前記輝度、前記アイコンまたは前記模様のうち少なくともいずれかにより表示され、
前記表示形態指定受付手段は、
前記レベル値の設定変更のための操作を受け付け、
前記表示形態指定受付手段を介して受け付けたレベル値の設定変更に対する操作に応じて、前記表示手段により表示される前記時系列データの前記表示形態を変更することを特徴とする請求項５〜１０のいずれか１項に記載の機器データ表示装置。
【請求項１２】
複数の機器から収集された時系列データの値を表示する機器データ表示方法において、
前記複数の機器から時系列データを収集する収集ステップと、
前記収集ステップにより収集された時系列データの値を表示する表示ステップと、
を備え、
前記表示ステップでは、前記時系列データの時刻を第１の座標軸に、前記時系列データを得た機器を第２の座標軸に、それぞれ割り当てることで規定される各表示領域に、対応する前記時系列データの値に対応付けられた表示形態での表示を行い、
前記表示形態は、表示色、輝度、アイコンまたは模様の少なくともいずれかであることを特徴とする機器データ表示方法。
【発明の詳細な説明】
【技術分野】
【０００１】
本発明は、複数の機器から収集された時系列データの値を表示する機器データ表示装置および機器データ表示方法に関する。
【背景技術】
【０００２】
ネットワークに接続された機器から電力情報を収集し、これを監視する電力情報監視システムが知られている。このシステムでは、例えばルータやコンピュータなどのネットワーク接続された機器からネットワークを経由して、消費電力量（単位：watt-hourなど）および消費電力量に影響を与える機器の挙動を示す指標を逐次収集する。例えば、ルータの挙動を示す指標としては、ネットワークルータのトラフィック量（単位：bit per secondなど）である。また、システムにはユーザが画面操作を行うためのキーボードやマウス等の入力装置、収集した指標を表示する表示装置、および、情報収集先の機器のネットワークアドレス等の情報を保管し、あるいは、収集した消費電力量および消費電力量に影響を与える機器の挙動を示す指標を記録するデータ記憶部が設けられる。
【０００３】
ユーザは、例えば消費電力量から電力消費傾向を確認するとともに、機器の挙動を示す指標から各機器個別の挙動を解析し、解析された挙動と消費電力量と照らし合わせ、無駄な消費電力を発生させている要因を絞り込む。このためにユーザは、システムが各機器の時系列の挙動を表す指標を折れ線グラフ化し重ね合わせて表示したものを目視で比較を行う。そこでは、プロットされたグラフの形状から、問題点の要因を絞り込むために、例えば以下の作業が行われる。
【０００４】
（１）同じ機種のうち、他の機器と挙動が異なるものを抽出する。例えば、図１４に示すグラフによれば、「機器１」、「機器２」、「機器３」は、同じ機種であるにもかかわらず「機器２」のみ消費電力量が大きいことが判る
【０００５】
（２）ある機器である特定の時間帯において発生した通常と異なる挙動を抽出する。例えば、図１４に示すグラフによれば、「機器３」における「昼休み」の時間帯において、「２０１０／０６／０３」の推移のみが、他の日と異なることが判る。
【先行技術文献】
【特許文献】
【０００６】
【特許文献１】特開２００２−２７２０１８号公報
【発明の概要】
【発明が解決しようとする課題】
【０００７】
このように、個々の機器の電力消費や挙動を表す指標の時系列変化を比較する場合は、一般に折れ線グラフを利用することは有効である。機器が少ない場合は折れ線グラフを重ねあわせ表示する方法や並列に表示する方法で、直感的な比較が可能である。しかし機器の台数が数百台、千台と多数になってくると、一覧することは困難であり、全体の消費電力傾向を把握し、あるいは異なる挙動を示す部分を見つけ出すことは不可能に近い。
【０００８】
本発明の目的は、多数の機器の時系列データを一望することができるとともに、時系列データを解析可能な表示を行うことができる機器データ表示装置等を提供することにある。
【課題を解決するための手段】
【０００９】
本発明の機器データ表示装置は、複数の機器から収集された時系列データの値を表示する機器データ表示装置において、前記複数の機器から時系列データを収集する収集手段と、前記収集手段により収集された時系列データの値を表示する表示手段と、備え、前記表示手段は、前記時系列データの時刻を第１の座標軸に、前記時系列データを得た機器を第２の座標軸に、それぞれ割り当てることで規定される各表示領域に、対応する前記時系列データの値に対応付けられた表示形態での表示を行い、前記表示形態は、表示色、輝度、アイコンまたは模様であることを特徴とする。
この機器データ表示装置によれば、時系列データの時刻を第１の座標軸に、前記時系列データを得た機器を第２の座標軸に、それぞれ割り当てることで規定される各表示領域に、対応する前記時系列データの値に対応付けられた表示形態での表示を行い、前記表示形態は、表示色、輝度、アイコンまたは模様であるので、多数の機器の時系列データを一望することができるとともに、時系列データを解析可能な表示を行うことができる。
【００１０】
前記第１の座標軸を拡大および縮小する操作を受け付ける拡大縮小操作受付手段を備えてもよい。
【００１１】
前記第１の座標軸と、前記時系列データの時刻との関係の指定を受け付ける表示時刻指定受付手段を備えてもよい。
【００１２】
前記表示手段は、前記表示時刻指定受付手段を介して受け付けた指定された時間帯における前記時系列データを、前記時間帯ごとに互いに区切って、前記表示形態により表示を行うものでもよい。
前記表示手段は、前記表示時刻指定受付手段を介して受け付けた指定された時間帯における前記時系列データを、前記時間帯ごとに互いに区切って隣接配置させて、前記表示形態により表示を行うものでもよい。
【００１３】
前記表示形態と前記時系列データの値との対応関係の指定を受け付ける表示形態指定受付手段を備えてもよい。
【００１４】
前記第２の座標軸と、個々の前記機器との対応付けの指定を受け付ける機器指定受付手段を備えてもよい。
【００１５】
前記表示手段は、複数種類の前記表示形態を用いることにより複数種類の前記時系列データを前記各表示領域に同時に表示してもよい。
【００１６】
前記時系列データをソートまたは互いの類似性に従って並び替える並び替え手段を備え、前記表示手段は、前記並び替え手段により得られた並び順に従って、前記時系列データを得た機器を、前記第２の座標軸に割り当て、各表示領域に対応する前記時系列データの値に対応付けられた表示形態での表示を行ってもよい。
【００１７】
前記複数の機器から収集された前記時系列データに基づいてグラフまたは分布図の少なくともいずれかを表示するとともに、前記グラフまたは前記分布図に対する操作を受け付けるグラフ等操作受付手段を備え、前記グラフ等操作受付手段を介して受け付けた前記グラフまたは前記分布図に対する操作に応じて、前記表示手段により表示される対象となる前記機器または前記時間帯の少なくともいずれかが絞り込まれてもよい。
【００１８】
前記時系列データは、予め定められたレベル値に対応した前記表示色、前記輝度、前記アイコンまたは前記模様のうち少なくともいずれかにより表示され、前記表示形態指定受付手段は、前記レベル値の設定変更のための操作を受け付け、前記表示形態指定受付手段を介して受け付けたレベル値の設定変更に対する操作に応じて、前記表示手段により表示される前記時系列データの前記表示形態を変更するものでもよい。
【００１９】
本発明の機器データ表示方法は、複数の機器から収集された時系列データの値を表示する機器データ表示方法において、前記複数の機器から時系列データを収集する収集ステップと、前記収集ステップにより収集された時系列データの値を表示する表示ステップと、を備え、前記表示ステップでは、前記時系列データの時刻を第１の座標軸に、前記時系列データを得た機器を第２の座標軸に、それぞれ割り当てることで規定される各表示領域に、対応する前記時系列データの値に対応付けられた、文字列以外の表示形態での表示を行うことを特徴とする。
この機器データ表示方法によれば、時系列データの時刻を第１の座標軸に、前記時系列データを得た機器を第２の座標軸に、それぞれ割り当てることで規定される各表示領域に、対応する前記時系列データの値に対応付けられた表示形態での表示を行い、前記表示形態は、表示色、輝度、アイコンまたは模様であるので、多数の機器の時系列データを一望することができるとともに、時系列データを解析可能な表示を行うことができる。
【発明の効果】
【００２０】
本発明の機器データ表示装置によれば、時系列データの時刻を第１の座標軸に、前記時系列データを得た機器を第２の座標軸に、それぞれ割り当てることで規定される各表示領域に、対応する前記時系列データの値に対応付けられた表示形態での表示を行い、前記表示形態は、表示色、輝度、アイコンまたは模様のうち少なくともいずれかであるので、多数の機器の時系列データを一望することができるとともに、時系列データを解析可能な表示を行うことができる。
また、時系列的な挙動が類似する機器のグループ化操作を色調、輝度、アイコン、模様等の類似性を元にできるので、従来よりも容易に消費電力傾向を把握し、あるいは異なる挙動を示す部分を見つけ出すことができる。
【００２１】
また、請求項２、３、４によれば、機器の挙動とユーザの社会活動との関連をユーザにより定義された時間帯を元に把握することができる。
【００２２】
また、請求項５によれば、特定の時間帯の挙動変化に注目した場合、その時間帯を選択し、その時間帯の挙動のみ並べて表示することにより、特定の時間帯における、例えば過去から見た悪化/改善傾向が把握できる。
【００２３】
また、請求項７、９によれば、相関が強い座標軸と個々の機器との対応づけの指定を手動、または、自動的にまとめることができるので、機器の挙動の類似性を 色調の類似性を元に確認できる。
【００２４】
また、請求項８によれば、表示手段が複数種類の表示形態を用いることにより複数種類の時系列データを前記各表示領域に同時に表示する、つまり、重ね合わせて表示することにより、現在表示している時系列データに対応付けられた表示形態では挙動に類似性があると視認された機器のグループにおいて、その類似性を視認しながら、別の指標値における機器の挙動の状態（例えば異常の発生パターン）を視認できる。
【００２５】
また、請求項１０によれば、ゾーン図を表示するとともに、一画面上に時系列データを他の視点から作成されたグラフまたは、機器に関連する他の情報（トラフィック量、パケット破棄率）の相関関係等に基づき作成される分布図を表示することにより、ゾーン図とグラフまたは分布図（例えば散布図）の少なくともいずれかとを組み合わせて操作すれば、改善すべき機器等を容易に絞り込むことができる。
【００２６】
また、請求項１１によれば、現在表示中の指標値のレベル判定の閾値を動的に変更し、表示態様（色調、輝度、アイコン、模様等）の動的な変化を視認しつつ、例えば、より強い挙動の類似性を持つよう機器の再グループ化ができる。
【００２７】
本発明の機器データ表示方法によれば、時系列データの時刻を第１の座標軸に、前記時系列データを得た機器を第２の座標軸に、それぞれ割り当てることで規定される各表示領域に、対応する前記時系列データの値に対応付けられた表示形態での表示を行い、前記表示形態は、表示色、輝度、アイコンまたは模様であるので、多数の機器の時系列データを一望することができるとともに、時系列データを解析可能な表示を行うことができる。
【図面の簡単な説明】
【００２８】
【図１】本発明による機器データ表示装置を電力情報監視装置に適用した構成を示すブロック図。
【図２】表示手段による表示画面を例示する図。
【図３】表示画面のゾーン図等を示す図。
【図４】レベル閾値を説明する図。
【図５】月曜日の早朝、昼間、夜間のデータを選択した例を示す図。
【図６】時間帯の指定等を受け付けるための設定画面を示す図。
【図７】所望の時間帯の組み合わせを作成する例を示す図。
【図８】複数の指標を選択した場合のゾーン図を例示する図。
【図９】クラスタ解析手法を用いた行単位の並び替えを行った後のゾーン図を例示する図。
【図１０】レベルの内容の変更操作を受け付ける画面例を示す図。
【図１１】新たなレベルを追加設定した場合の例を示す図。
【図１２】ゾーン図に加えて散布図を表示した画面例を示す図。
【図１３】散布図およびゾーン図を用いた絞込み作業の手順を例示する図。
【図１４】機器の挙動を表現したグラフを示す図。
【発明を実施するための形態】
【００２９】
以下、本発明による機器データ表示装置の実施形態について説明する。
【００３０】
図１は、本発明による機器データ表示装置を、電力情報監視装置に適用した構成を示すブロック図である。
【００３１】
図１に示すように、電力情報監視装置１は、ネットワーク３を介して複数の機器（「機器１」,「機器２」,・・・）から消費電力量等の時系列データを収集する収集手段１１と、収集手段１１により収集された時系列データの値を表示装置２に表示する表示手段１２と、を備える。また、電力情報監視装置１は、表示手段１２による表示態様の指定等を受け付ける拡大縮小操作受付手段１３、表示時刻指定受付手段１４、表示形態指定受付手段１５および機器指定受付手段１６を備える。
【００３２】
収集手段１１は、ネットワーク３を介して複数の機器（「機器１」,「機器２」,・・・）から消費電力量等の時系列データを逐次収集し、データ保存部１１Ａに格納する。
【００３３】
収集手段１１は、各機器（「機器１」,「機器２」,・・・）の機器定義情報に格納されているネットワークアドレスや収集周期を参照し、機器群から機器の挙動指標値や消費電力量を例えば定周期に取得する。取得された消費電力量、機器の挙動指標値等の指標値には、所得した日付、時刻、取得先を示す電力消費機器情報が付加され、時系列データとしてデータ保存部１１Ａに格納される。
【００３４】
表示手段１２は、データ保存部１１Ａに格納された時系列データを用いて表示装置２に表示画面を表示する。表示手段１２の演算部１２ａは、後述するユーザからの種々の指示に従った表示内容を逐次作成する演算を実行し、その表示内容が表示手段１２により表示される。
【００３５】
図２は、表示手段１２による表示画面を例示する図、図３は表示画面のゾーン図等を示す図、図４はレベル閾値を説明する図である。
【００３６】
図２および図３に示すように、表示手段１２の表示画面には、たとえば縦方向に機器（「機器１」,「機器２」,・・・）が、横方向に時刻が、それぞれ対応付けられた矩形領域５１，５１，・・・が配列したゾーン図５０が表示されている。
【００３７】
ゾーン図５０は、ある機器において、リストボックス５２への操作に従って選択された指標の各時間の指標値を、レベル値に従い色分け、レベル値に従い形状、色彩、模様等が異なるアイコン（予め記憶されている）、あるいはレベル値に従い輝度を変えた矩形で表したものである。これを時系列に沿って横一列に並べ、さらに機器ごとに縦に並べる行列形式の表示方式を用い、全ての機器について、各機器における指標の時系列変化を一覧表示することができる。
【００３８】
ここでレベル値とは、指標値に対し、その値が意味するところを数段階に分けて判定し、数値化したものである。レベルは単なる量の多寡を表すものや、良否を表すものなど、指標によって意味合いは異なる。レベルの判定方法は、その指標の性質やユーザ環境の特性に従って、あらかじめ定められているものとする。図３および図４に示す例では、指標値はレベル閾値によりレベル値が決定されている。ここでは、指標値として消費電力量が選択されており、各矩形領域５１には、対応する機器および時間帯における消費電力量が当該矩形領域５１の表示色として表示されている。
【００３９】
ユーザはリストボックス５２への操作により、データ保存部１１Ａに格納された種々の時系列データの中から任意の指標値を選択し、ゾーン図５０に表示させることができる。
【００４０】
表示画面の領域５３には、指標値と各矩形領域５１の表示色との関係が示される。図３および図４に示す例では、消費電力量はレベル閾値により５段階のレベルに区分され、各レベルに特定の表示色が割り当てられている。図２の例では、「２０」、「４０」、「６０」および「９５」がレベル閾値として設定され、各レベルに対し、数値が低い順に１〜５のレベル値が割り当てられている。
【００４１】
表示画面５０におけるゾーン図の縦方向の表示倍率は、拡大縮小操作受付手段１３に対するユーザの操作に従って変更可能とされている。表示倍率に従った画像は表示手段１２の演算部１２ａでの演算により逐次作成され、表示手段１２による表示に反映される。
【００４２】
最小倍率では、表示ピクセルについて１ピクセルを矩形領域５１の縦方向の幅とすることもでき、この場合、例えば１６００×１２００ピクセルの解像度をもつ表示画面であれば、１０００台を超える機器の指標値を一度に表示することができる。なお、図２では１２台分の表示例を示している。
【００４３】
また、常時、表示倍率を矩形領域５１の縦方向の幅が表示ピクセルの整数倍となるように設定し、各矩形領域５１に同一数の表示ラインを割り当てることにより、各矩形領域５１を鮮明に、かつ正確な表示色で表示できるものでもよい。
【００４４】
表示倍率を縮小した場合、その画面上では表示位置と機器との対応関係を正確に把握することはできないが、縮小画面上でも他の機器と異なる傾向を示す機器の存在などを視認することができる。したがって、必要な部分を拡大することにより、例えば問題が生じている機器を特定することもできる。
【００４５】
ところで、機器の状態は、ユーザの社会活動と関連して変化することが考えられる。たとえば、機器の消費電力量は、平日早朝には少ないが、平日昼間には多い。
ここで、図３におけるゾーン図は、多数の機器の時系列データを一望できる点では有効である。しかし、図３におけるゾーン図は、時間軸に沿って各機器の状態を表しているだけであるので、機器の状態とユーザの社会活動との関連性が見出しにくい。
この点に対して、本発明に係る機器データ表示装置では、表示手段１２が表示時刻指定受付手段１４を介して受け付けたユーザの指定により定義付けられた所定の時間帯ごとに図３のゾーン図を区切る。これにより、本発明に係る機器データ表示装置は、機器の挙動とユーザの社会活動との関連をユーザにより定義された時間帯を元に把握することができる。
【００４６】
具体的には、ユーザの指定によりゾーン図を区切るための所定の時間帯の定義付けは、以下のように行う。
ゾーン図における時間軸（横軸）の設定は、表示時刻指定受付手段１４を介するユーザの指定に従う。ゾーン図における時間帯の長さの単位として、週、日、時、分などを選択することができる（例えばユーザの社会活動との関連を定義するべく、１日単位に設定する）。その設定内容は「時間帯定義データ」として表示情報保存部１２Ａに保存される。
【００４７】
また、表示時刻指定受付手段１４を介するユーザの指定により、ゾーン図において表示される１単位分の時間帯（例えば、１日単位）のうち、さらに、機器の挙動を表わす時系列データを表示する時間帯の単位として、週、日、時、分などを選択することができる（例えば、ユーザの１日における社会活動を考慮し、８時間ごとに機器の挙動を表示するものとして設定するものでもよい）。その設定内容は「第２の時間帯定義データ」として表示情報保存部１２Ａに保存される。
【００４８】
図５は、月曜日の早朝、昼間、夜間に区切った例を示している。また、図６は時間帯の指定等を受け付けるための設定画面を示している。ユーザは図６に示すような設定画面に対して操作を行うことにより、ゾーン図として表示される時間帯を自由に設定することができる。図６に示すように、時間帯定義データとして保存されている時間帯の内容は設定画面の領域５６ａに表示される。領域５６ｂでは各時間帯の属性の入力を受け付け、追加ボタン５６ｃおよび削除ボタン５６ｄにより各時間帯の追加および削除を行うことができる。属性の入力や時間帯の追加、削除の操作は領域５６ａの表示に反映されるとともに、図５のゾーン図に反映される。図５のゾーン図５０には、設定画面での設定内容に従って、指定された各時間帯のゾーン図が互いに区切られた状態で表示される。また、表示欄５４，５４，・・・には、図６の設定画面により設定された各時間帯情報、すなわち各ゾーン図の時間帯情報が表示される。
【００４９】
さらに、ゾーン図に対する操作によっても、新たな時間帯の設定を行うことができる。
【００５０】
図７は、所望の時間帯の組み合わせを作成する例を示す図である。たとえば図７のように、ゾーン図の中から月曜日の昼間の時間帯のみを選択する操作を行うことで、表示手段１２が、月曜日の昼間のみのデータをまとめたゾーン図を作成している。このように、本発明の機器データ表示装置は、各機器における指標値のうち、ユーザが指定した時間帯の指標値のみを抽出し、これを時系列に沿って横一列に並べることで、指定された時間帯のみについて各機器における指標の時系列変化を一覧表示することができる。
【００５１】
なお、本発明の機器データ表示装置は、ゾーン図に表示された一部の時間帯を指定する操作を繰り返すことにより、所望の時間帯の組み合わせを作成するものでもよい。たとえば図７において、月曜日の早朝、昼間、夜間の時間帯を指定して作成されたゾーン図を呼び出すものでもよい。
【００５２】
なお、図５および図７の表示画面に表示される時間帯情報（例えば、図７の表示欄５５，５５，・・・に示される文字情報）は、時間帯定義データの一部として表示情報保存部１２Ａに格納され、図２に示す時間帯表示ボタン５７の操作により時間帯情報の表示の有無が切り替えられる。時間帯情報は、図６に示す設定画面においては領域５６ａに表示される。
【００５３】
表示時刻指定受付手段１４を介するユーザの指定に従って作成された時間軸の定義内容は、時間帯定義データとして情報表示保存部１２Ａ（図１）に格納され、ユーザの指示に従って表示手段１２によって適時、利用可能とされる。
【００５４】
このように、ユーザは時間帯定義データを自由に作成することができ、ゾーン図の表示態様に反映される。また、情報表示保存部１２Ａに格納された時間帯定義データはいつでも利用することができる。
【００５５】
時間帯定義データの定義内容の具体例を以下に示す。
（１）曜日ごとの特定の時間帯、例えば、各曜日の深夜、早朝、午前、昼、午後、夜間を時間帯とし、それぞれの開始時刻、終了時刻を定義する。
（２）休日、または、平日毎の特定の時間帯、例えば、休日、平日、休日前平日の深夜、早朝、午前、昼、午後、夜間を時間帯とし、それぞれの開始時刻、終了時刻を定義する。
（３）任意の開始時刻、終点時刻の組み合わせを作成できる。たとえば、ユーザが、機器の状態から特定可能な事象の発生時刻を開始時刻とし、それ以降任意の時刻を終点時刻として定義する。
（４）保存されている時間帯定義データを組み合わせ、あるいは保存されている時間帯定義データの中から時間帯を選択し組み合わせることにより、新たな時間帯を定義する。
（５）上述のように、時間軸の時間帯の単位（週、日、時、分等）を設定する。
【００５６】
図８は、複数の指標を選択した場合のゾーン図を例示する図である。図８（Ａ）の例では、指標値として消費電力量とアラームの程度（レベル）とが選択され、両者が同一の矩形領域５１，５１，・・・にそれぞれ重ね合わされて表示されている。アラームのレベルと、その表示形態との関係は領域５８に示される。領域５８に示されるように、アラームのレベルは各矩形領域５１に付される模様として表現され、消費電力量を示す各矩形領域５１の表示色は視認可能とされる。このため、同一機器、同一時間帯における消費電力量およびアラームのレベルを、同一の矩形領域５１において重ね合わせて表現できる。
【００５７】
このように２つの指標値の重ね合わせ表示は、図２に示すチェックボックス５９ａおよびリストボックス５９ｂへの操作により指示することができる。リストボックス５９ｂには追加表示の対象となる指標値の候補が表示され、ユーザは候補の中から任意の指標値を選択することができる。
【００５８】
このような重ね合わせ表示の方法として、表示色と模様を重ね合わせる方法のほか、表示色と別の指標値により決まる輝度とを重ね合わせて表示する方法などを採ることもできる。また、輝度と模様とを用いた重ね合わせ表示とすることもできる。また、表示色、模様、輝度に対してアイコンを用いた重ね合わせ表示とすることもできる（図８（Ｂ））。
【００５９】
次に、ゾーン図における縦軸と機器との対応付けは、機器指定受付手段１６を介するユーザの指定に従う。
【００６０】
例えば、ゾーン図における行単位（機器ごと）での移動操作として、ユーザは図３に示すゾーン図上で、移動したい行（機器）を単数または複数選択してドラッグし、移動先の行にドロップすることができる。このような移動操作は機器指定受付手段１６の機能により受け付けられる。この場合、表示手段１２の演算部１２ａは、ドロップした移動先の行の上段または下段に移動したい行を挿入することで行の順序を入れ替え、表示手段１２は行の入れ替えにより更新されたゾーン図を再表示する。
【００６１】
また、ユーザは同一の時刻または時刻帯での指標値に基づくソート操作を行うことができる。この場合、ユーザは図３のゾーン図上で、ソートしたい行（機器）を選択し、さらにソート対象となる時刻または時刻帯を選択する。さらに、ソート順として降順、昇順を選択する。このような選択操作は機器指定受付手段１６の機能により受け付けられる。表示手段１２の演算部１２ａは、ソート対象となる時刻または時刻帯における指標値によって、ソートしたい行（機器）の行の順序を算出する。ソート対象に時刻帯を指定した場合、必要に応じて、その時刻帯に含まれる時刻の各指標値から平均値、最大値、最小値、中央値、標準偏差などの２次的な指標値を算出し、この指標値に応じてソートしてもよい。表示手段１２は行のソートにより更新された新たなゾーン図を再表示する。
【００６２】
さらに、ユーザの指示に従って、ゾーン図に示された指標値に対してＫ平均法などのクラスタ解析手法を用いた行単位の並び替えを行わせることができる。
【００６３】
この場合、ユーザは図３のゾーン図上で、並び替えしたい行（機器）を選択し、さらに並べ替えの対象となる時刻または時刻帯を選択する。このような選択操作は機器指定受付手段１６の機能により受け付けられる。表示手段１２の演算部１２ａは、並べ替えの対象となる時刻または時刻帯でのそれぞれの指標値から行同士の距離を求め、各行にクラスタを割り振る。次に、演算部１２ａは、全体の行のうち並べ替えしたい行についてのみ、行の順序をクラスタの順とし、同一クラスタの行が隣接するように並べ替え、表示手段１２は並べ替えにより更新された新たなゾーン図を再表示する。
【００６４】
図９は、クラスタ解析手法を用いた行単位の並び替えを行った後のゾーン図を例示している。図９に示すように、行の順序をクラスタの順に並べ替えることで、相関が強く、互いに類似する行を近接した位置に配置することができ、似た挙動を示す機器群や期間を容易に把握することが可能となる。
【００６５】
図１０は、レベルの内容の変更操作を受け付ける画面例を示す図である。レベルの内容の変更操作の受け付けは、表示形態指定受付手段１５の機能として実行される。受け付けた内容に従った演算を演算部１２ａが実行し、演算結果が表示手段１２による表示に反映される。
【００６６】
レベルの内容の変更操作には、レベルの追加・削除、レベル閾値の値、および、矩形色の設定がある。図１０の画面例では、レベルの編集を受け付ける領域６１と、現在のレベルの設定状態を示す領域６２と、編集中のレベルを追加設定するためのボタン６３と、編集中のレベルを削除するためのボタン６４とが設けられている。
【００６７】
図１１は、図１０に示す画面に対する操作により、新たなレベルを追加設定した場合の例を示している。図１１の例では、レベル設定を変更する前には５段階のレベルが設定されているのに対し、レベル設定後にはレベルが１段階追加され６段階とされている。このように、ユーザがレベルの設定を自由に変更可能とすることにより、ゾーン図上に必要な情報を適切に表現するレベル設定状態を得ることができる。例えば、図１１の例では、「９０」以上「１００」以下の領域を、「９０」未満の領域と区別してゾーン図上に表現することが可能となる。ユーザは新たなレベル設定状態の内容による各矩形の表示色変化を視認しながら、レベル設定状態の変更を行うことができる。
【００６８】
上記のように、電力情報監視装置１ではゾーン図を表示させるとともに、類似する行を抽出することにより、消費電力量等の指標値の推移が類似する機器のグループを見いだすことができる。しかし、省エネルギーにおける改善を図る場合、さらにその機器のグループの中で機器同士、様々な指標の相関関係や指標値を用いた比較を行い、改善すべき機器を絞り込むことが必要となる。このような作業を行う場合には、電力収集装置にグラフ等操作受付手段の一例である散布図操作受付手段１７（図１）を設けることができる。これにより、ゾーン図と分布図（例えば散布図）とを組み合わせた操作により、改善すべき機器等を容易に絞り込むことができる。
【００６９】
図１２は、ゾーン図に加えて分布図の一例である散布図を表示した画面例を示す図である。
【００７０】
図１２に示すように、画面にはゾーン図５０と分布図の一例である散布図７０とが並んで表示される。散布図７０での表示対象となる機器および時刻（または、時刻帯）は、ゾーン図５０に対するユーザの操作により指定することができ、図１２では領域５０ａを選択する操作により、対応する機器および時刻が指定されている。
【００７１】
また、散布図７０のＸ軸に割り当てられる指標値はリストボックス７１により、散布図７０のＹ軸に割り当てられる指標値はリストボックス７２により、それぞれユーザが指定できる。図１２の例では、Ｘ軸にはトラフィック量が、Ｙ軸にはパケット破棄率が、それぞれ指定されている。なお、トラフィック量は機器の通信量を、パケット破棄率は受信された通信パケットを破棄した割合を、それぞれ示しており、それぞれ消費電力量と相関のある指標値として利用できるものである。
【００７２】
領域５０ａを選択するとともに、リストボックス７１およびリストボックス７２に指標値を表示させ、ボタン７３を操作すると、演算部１２ａにおいて領域５０ａに対応する機器および時刻（または、時刻帯）に絞り込まれた散布図７０が作成される。さらに作成された散布図７０が表示装置１２により表示され、あるいは更新表示される。
【００７３】
また、散布図７０におけるＸＹ座標の範囲を選択した上でボタン７４を操作すると、演算部１２ａにおいてそのＸＹ座標の範囲に対応する機器および時刻（または、時刻帯）に絞り込まれたゾーン図５０が作成される。さらに作成されたゾーン図５０が表示装置１２により表示され、あるいは更新表示される。
【００７４】
図１３は、このような散布図７０およびゾーン図５０を用いた絞込み作業の手順を例示する図である。
【００７５】
図１３の例では、手順（１）において、ユーザは１日単位での消費電力量を指標値とするゾーン図を呼出し、ゾーン図の領域８１を指定することで、１日単位での消費電力量が大きい機器を選択し、その機器をプロットする分布図（機器挙動分布図）を呼び出す。この機器挙動分布では、Ｘ軸にトラフィック量（単位：bit per second）が、Ｙ軸にトラフィック/消費電力量(単位：bit per watt-hour)が、それぞれとられ、選択された機器ごとにプロットされている。
【００７６】
次に、手順（２）では、表示された分布図（機器挙動分布図）の領域８２を指定することで、トラフィック/消費電力量が小さい機器を効率が悪い機器と看做して選択し、その機器の挙動を確認するために、ゾーン図を呼び出す。図１３に示すように、このゾーン図では、各機器のトラフィック/消費電力量を指標値とし、その指標値が時間単位で表示されている。
【００７７】
次に、手順（３）では、新たに表示されたゾーン図の領域８３を指定することで、効率の悪い機器について、さらにトラフィック/消費電力量が小さい時間を選択し、機器の時間単位挙動分布図を呼び出す。この機器の時間単位挙動分布図では、Ｘ軸にパケット破棄率（＝破棄パケット数/入出力パケット総数、単位：％）が、Ｙ軸にトラフィック/消費電力量が、それぞれとられており、分布図（機器挙動分布図）の領域８２により選択された機器別の各時間の挙動をプロットする。
【００７８】
次に、手順（４）では、ユーザは、機器の時間単位挙動分布図にて、各機器の各時間の挙動を比較することができる。例えば、トラフィック/消費電力量が小さく、さらにパケット破棄率が高い傾向を示す挙動を示す機器の時間を優先し改善すべきポイントとして特定することができる。例えば、図１３において領域８４が、そのような挙動に対応している。
【００７９】
なお、グラフ等操作受付手段は、散布図による表示だけではなく、各機器の各時間の挙動を比較することができ、表示対象となる機器を絞り込んで表示手段１２によりゾーン図を表示できるのであれば、折れ線グラフ表示、円グラフ表示、その他の分布図により表示するものでもよい。
【００８０】
以上のように、本発明の機器データ表示装置によれば、各機器の時系列データを表示色、輝度、模様、アイコンなどの表示形態の領域を並べて配置したゾーン図により表現するので、数千台規模の多数の機器より定周期にネットワーク経由で収集された機器の動作状況を表す指標について、時系列的な挙動変化を一度に閲覧することができるとともに、解析を簡便かつ直感的に行うことができるようになる。さらに、機器の挙動の類似性などを検証し、特定の事象等の発生を発見できる。
【００８１】
例えば、現在表示している指標値における時系列的な挙動が類似する機器のグループ化操作を、色調の類似性を元にできる。さらに、相関が強い行を手動、または、自動的にまとめた結果、機器の挙動の類似性を色調の類似性を元に確認できる（図９）。さらに、重ね合わせ表示（図８）を行うことにより、現在表示している指標値では挙動に類似性があると視認された機器のグループにおいて、その類似性を視認しながら、別の指標値における機器の挙動の状態（例えば異常の発生パターン）を視認できる。
【００８２】
また、現在表示している指標値を元にした機器の挙動とユーザの社会活動との関連を、ユーザにより定義された時間帯を元に把握することができる。また、現在表示中の指標値において特定の時間帯の挙動変化に注目した場合、その時間帯を選択し、その時間帯の挙動のみ並べて表示することにより、特定の時間帯における、例えば過去から見た悪化/改善傾向を把握できる（図５〜図７）。
【００８３】
また、現在表示中の指標値のレベル判定のしきい値を動的に変更し、表示形態（色調、輝度、アイコンまたは模様）の動的な変化を視認しつつ、例えば、より強い挙動の類似性を持つよう機器の再グループ化ができる（図１０〜図１１）。
【００８４】
また、表示する指標値の種類を変更することができるため、現在表示中の行方向、列方向の並び順を保持しつつ、新たに選択された指標値での表示へ変更することにより、これまで表示していた指標値では挙動に類似性があると視認された機器のグループにおいて、別の指標値から見た場合では、例えば、類似性がみられない機器や期間などの発見ができる。
【００８５】
さらに、ゾーン図と分布図とを組み合わせることで、様々な解析を効率的に実行することが可能となる。
【００８６】
本発明の適用範囲は上記実施形態に限定されることはない。本発明は、複数の機器から収集された時系列データの値を表示する機器データ表示装置等に対し、広く適用することができる。
【００８７】
（付記項１３）  前記各表示領域における前記第２の座標軸方向の幅が、表示画素の整数倍とされていることを特徴とする請求項２に記載の機器データ表示装置。
（付記項１４）  前記複数の機器から収集された前記時系列データに基づいて散布図を表示するとともに、前記散布図に対する操作を受け付ける散布図操作受付手段を備え、
前記散布図操作受付手段を介して受け付けた前記散布図に対する操作に応じて、前記表示手段により表示される対象となる前記機器が絞り込まれることを特徴とする請求項１〜１２のいずれか１項に記載の機器データ表示装置。
【符号の説明】
【００８８】
１１    収集手段
１２    表示手段
１３    拡大縮小操作受付手段
１４    表示時刻指定受付手段
１５    表示形態指定受付手段
１６    機器指定受付手段
１７    散布図操作受付手段
【図１】
2012018589.tif 000003
【図１４】
2012018589.tif 000004
【図２】
2012018589.tif 000005
【図３】
2012018589.tif 000006
【図４】
2012018589.tif 000007
【図５】
2012018589.tif 000008
【図６】
2012018589.tif 000009
【図７】
2012018589.tif 000010
【図８】
2012018589.tif 000011
【図９】
2012018589.tif 000012
【図１０】
2012018589.tif 000013
【図１１】
2012018589.tif 000014
【図１２】
2012018589.tif 000015
【図１３】
2012018589.tif 000016